【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
携帯電話機用またはパーソナルコンピュータ用のアンテナであって、携帯電話機またはパーソナルコンピュータの表表面及び裏表面の一方または両方に、所定の受信周波数に対応したアンテナパターンを１層または複数層において設けたことを特徴とするアンテナ。
【請求項２】
前記アンテナパターンが互いに干渉しない位置に設けられていることを特徴とする請求項１に記載のアンテナ。
【請求項３】
前記複数層に施されるアンテナパターンは各層毎に異なる受信周波数に対応するものであり、各層のアンテナパターンは受信者の受信内容の切換え作動に伴い受信接点が連動して切り替わる変換デバイスに連結されていることを特徴とする請求項１または２に記載のアンテナ。
【請求項４】
携帯電話機用またはパーソナルコンピュータ用のアンテナの製造方法であって、導電性インキにより所定の受信周波数に対応したアンテナパターンを印刷する第１ａ工程と、該アンテナパターンに無電解メッキを施す第２ａ工程と、更に該無電解メッキ上に所定の電気メッキを施す第３ａ工程によりなることを特徴とするアンテナの製造方法。
【請求項５】
携帯電話機用またはパーソナルコンピュータ用のアンテナの製造方法であって、導電性インキにより所定の受信周波数に対応したアンテナパターンを印刷する第１工程と、該アンテナパターンに無電解メッキ及び電解メッキ、または電解メッキをする第２工程と、該電解メッキの外表面にさらにシリコーンオイル含有のインキによる被膜を形成する第３工程と、前記第３工程後所定の乾燥処理を施した後、シリコーンオイル含有インキの撥水性により弾かれる前記アンテナパターン印刷の表面部分を除く表面全体を、所定の粘度を有する塗料またはインキにより塗装またはベタ印刷する第４工程と、前記シリコーンオイル含有インキの表面に濡れ性を付与するための第５工程と、前記第５工程後全体表面を極薄コート剤により被覆する第６工程による層を、１層または複数層を積層することを特徴とするアンテナの製造方法。
【請求項６】
前記導電性インキによるアンテナパターンの印刷は、導電性粉体を混合した印刷インキまたはペースト剤により印刷されたものであることを特徴とする請求項４または５に記載のアンテナの製造方法。
【請求項７】
前記無電解メッキは、ＣｕまたはＮｉの厚さ５μｍ以下の無電解メッキであり、前記電解メッキは、厚さ５〜１００μｍ、好ましくは１０〜５０μｍのＣｕ電気メッキであることを特徴とする請求項４〜６のいずれか１項に記載のアンテナの製造方法。
【請求項８】
前記シリコーンオイル含有のインキによる被膜は、該インキが通常のインキに５〜３０ｖｏｌ％、好ましくは１０ｖｏｌ％のシリコーンオイルを混合したものであり、且つ前記電解メッキ表面のみに被覆されたものであることを特徴とする請求項５〜７のいずれか１項に記載のアンテナの製造方法。
【請求項９】
前記第４工程における表面全体への塗装またはベタ印刷は、その厚みが前記第３工程終了時のアンテナパターン部の高さＨと同じ寸法の厚さｔを有し、該アンテナパターン部の高さの表面と、前記表面全体への塗装またはベタ印刷の厚さの表面とが同一位置になるものであり、且つ、所定の粘度は通常の印刷被覆時における粘度との粘度比Ｋが０．１〜０．５、好ましくは０．５の粘度であることを特徴とする請求項５〜８のいずれか１項に記載のアンテナの製造方法。
【請求項１０】
前記シリコーンオイル含有インキの表面に濡れ性を付与するための第５工程における処理方法は、アルカリ洗浄剤による被膜除去、またはプラズマ処理、ブラスト処理による表面アラサの改質であることを特徴とする請求項５〜９のいずれか１項に記載のアンテナの製造方法。
【請求項１１】
前記請求項４〜１０のいずれか１項に記載のアンテナの製造方法にて作成されたアンテナを備えたことを特徴とする携帯電話機。
【請求項１２】
前記請求項４〜１０のいずれか１項に記載のアンテナの製造方法にて作成されたアンテナを備えたことを特徴とするパーソナルコンピュータ。
【手続補正２】
【補正対象書類名】明細書
【補正対象項目名】発明の名称
【補正方法】変更
【補正の内容】
【発明の名称】アンテナおよびその製造方法並びに該アンテナを備えた携帯電話機またはパーソナルコンピュータ
【手続補正３】
【補正対象書類名】明細書
【補正対象項目名】０００１
【補正方法】変更
【補正の内容】
【０００１】
本願発明は、アンテナおよびその製造方法並びに該アンテナを備えた携帯電話機またはパーソナルコンピュータに関するものである。
【手続補正４】
【補正対象書類名】明細書
【補正対象項目名】０００３
【補正方法】変更
【補正の内容】
【０００３】
上記のように、市場要求として、広範な周波数領域に対応するアンテナ機能を内蔵させ、且つ、携帯電話機の外装としての多彩な美的外観を保つ製品が求められているが、この両者を小型軽量な携帯電話機の範囲内という限られた条件下で満足させる技術についてはかなりの難しさが存在する。
特に、異なる広範な周波数に十分に対応し得るアンテナを携帯電話機の限られた表面に備え、且つ、そのアンテナパターンを表面に目立たない状態で、色彩外観を与えることは極めて難しい。
本願発明は、これらの要求に応えるものとして、基本的に前記のごとき現在多様化している、乃至、将来出現してくるであろう受発信の各種の周波数領域に対し、十分に対応し得るアンテナのシステムを、より美的な多彩外装コート被覆下において備えたアンテナを提供し、また、それを備えた携帯電話機またはパーソナルコンピュータを提供することをその目的としている。
【手続補正５】
【補正対象書類名】明細書
【補正対象項目名】０００４
【補正方法】変更
【補正の内容】
【０００４】
本発明に係るアンテナは、
１）携帯電話機用またはパーソナルコンピュータ用のアンテナであって、携帯電話機またはパーソナルコンピュータの表表面及び裏表面の一方または両方に、所定の受信周波数に対応したアンテナパターンを１層または複数層において設けたものであり、
２）上述の１）において、前記アンテナパターンが互いに干渉しない位置に設けられているものであり、
３）上述の１）または２）において、前記複数層に施されるアンテナパターンは各層毎に異なる受信周波数に対応するものであり、各層のアンテナパターンは受信者の受信内容の切換え作動に伴い受信接点が連動して切り替わる変換デバイスに連結されているものである。
【手続補正６】
【補正対象書類名】明細書
【補正対象項目名】０００５
【補正方法】変更
【補正の内容】
【０００５】
本発明に係るアンテナの製造方法は、
４）携帯電話機用またはパーソナルコンピュータ用のアンテナの製造方法であって、導電性インキにより所定の受信周波数に対応したアンテナパターンを印刷する第１ａ工程と、該アンテナパターンに無電解メッキを施す第２ａ工程と、更に該無電解メッキ上に所定の電気メッキを施す第３ａ工程によりなることを特徴とするものである。
５）また、携帯電話機用またはパーソナルコンピュータ用のアンテナの製造方法であって、導電性インキにより所定の受信周波数に対応したアンテナパターンを印刷する第１工程と、該アンテナパターンに無電解メッキ及び電解メッキ、または電解メッキをする第２工程と、該電解メッキの外表面にさらにシリコーンオイル含有のインキによる被膜を形成する第３工程と、前記第３工程後所定の乾燥処理を施した後、シリコーンオイル含有インキの撥水性により弾かれる前記アンテナパターン印刷の表面部分を除く表面全体を、所定の粘度を有する塗料またはインキにより塗装またはベタ印刷する第４工程と、前記シリコーンオイル含有インキの表面に濡れ性を付与するための第５工程と、前記第５工程後全体表面を極薄コート剤により被覆する第６工程による層を、１層または複数層を積層することを特徴とするものである。
【手続補正７】
【補正対象書類名】明細書
【補正対象項目名】０００６
【補正方法】変更
【補正の内容】
【０００６】
さらに、本発明に係るアンテナの製造方法は、
６）上述の４）または５）において、前記導電性インキによるアンテナパターンの印刷は、導電性粉体を混合した印刷インキまたはペースト剤により印刷されたものであり、
７）上述の４）〜６）において、前記無電解メッキを、ＣｕまたはＮｉの厚さ５μｍ以下の無電解メッキとし、前記電解メッキを、厚さ５〜１００μｍ、好ましくは１０〜５０μｍのＣｕ電気メッキとしたものであり、
８）上述の５）〜７）において、前記シリコーンオイル含有のインキによる被膜は、該インキが通常のインキに５〜３０ｖｏｌ％、好ましくは１０ｖｏｌ％のシリコーンオイルを混合したものであり、且つ前記電解メッキ表面のみに被覆されたものであり、
９）上述の５）〜８）において、前記第４工程における表面全体への塗装またはベタ印刷は、その厚みが前記第３工程終了時のアンテナパターン部の高さＨと同じ寸法の厚さｔを有し、該アンテナパターン部の高さの表面と、前記表面全体への塗装またはベタ印刷の厚さの表面とが同一位置になるものであり、且つ、所定の粘度は通常の印刷被覆時における粘度との粘度比Ｋが０．１〜０．５、好ましくは０．５の粘度であり、
１０）上述の５）〜９）において、前記シリコーンオイル含有インキの表面に濡れ性を付与するための第５工程における処理方法は、アルカリ洗浄剤による被膜除去、またはプラズマ処理、ブラスト処理による表面アラサの改質であることを特徴とするものである。
【手続補正８】
【補正対象書類名】明細書
【補正対象項目名】０００７
【補正方法】変更
【補正の内容】
【０００７】
さらに、本発明に係る携帯電話機またはパーソナルコンピュータは、
１１）上述の４）〜１０）のいずれか１項に記載のアンテナの製造方法にて作成されたアンテナを備えたことを特徴とするものである。
【手続補正９】
【補正対象書類名】明細書
【補正対象項目名】０００８
【補正方法】変更
【補正の内容】
【０００８】
本発明のアンテナは、多様化する受発信周波数により適したアンテナパターンを１層または複数層に積層することにより、また、下層にあるアンテナパタ−ンの存在を認識させない独特の手段を施すことにより、受発信の周波数特性が多様化する携帯電話機またはパーソナルコンピュータの市場要求と、多様に亘る外観の色彩化粧コートの要求とを、効率よく満足させるアンテナを提供し、且つそれを備えた携帯電話機またはパーソナルコンピュータを提供することができる。